(57)【要約】【課題】ＩＰ電話ネットワークにおけるセッション確立要求の集中によって生じる輻輳を制御することを可能とする。【解決手段】セッション確立要求の発生時に，セッション確立要求規制判定手段２０２は，セッション不完了情報蓄積手段２０１に該セッション確立要求の発ＩＰ電話端末アドレスと着ＩＰ電話端末アドレスの対が蓄積されているかを調べ，蓄積されている場合に，発ＩＰ電話端末と着ＩＰ電話端末の対のセッション確立不完了数が，蓄積されている不完了数の上位Ｎ番目までに入っているかどうか調べ，不完了数の上位Ｎ番目までに入っている場合には，さらに「セッション確立要求不完了数／セッション確立要求数」を計算して，この値が予め与えられた閾値より大きいかどうか判定し，閾値より大きい場合に，セッション確立要求規制手段２０３がセッション確立要求を拒否する。【選択図】図２
2005204100.tif 000002
【特許請求の範囲】
【請求項１】
セッション設定の呼処理を実行するセッション設定処理装置とＩＰ端末とが接続されたＩＰネットワークの輻輳を制御する輻輳制御装置であって，
セッション確立に失敗したセッション確立要求に関する情報を蓄積するセッション不完了情報蓄積手段と，
前記セッション不完了情報蓄積手段に蓄積した情報を用いて，新たに生起したセッション確立要求が規制対象かどうかを判定するセッション確立要求規制判定手段と，
新たに生起したセッション確立要求を前記判定の結果により規制するセッション確立要求規制手段と，
前記セッション不完了情報蓄積手段に蓄積した情報を所定のタイミングで消去するセッション不完了情報消去手段とを備える
ことを特徴とする輻輳制御装置。
【請求項２】
請求項１に記載の輻輳制御装置において，
前記セッション不完了情報蓄積手段は，
セッション確立に失敗したセッション確立要求に関する情報として，少なくとも，
セッション確立要求の着ＩＰ端末アドレス，このアドレスヘのセッション確立要求数，このアドレスへのセッション確立不完了数の３項目を含む情報，
または，発ＩＰ端末アドレスと着ＩＰ端末アドレスとの対，このアドレスの対に関するセッション確立要求数，このアドレスの対に関するセッション確立不完了数の３項目を含む情報，
または，セッション確立要求の発ＩＰ端末アドレス，このアドレスからのセッション確立要求数，このアドレスからのセッション確立不完了数の３項目を含む情報を蓄積する
ことを特徴とする輻輳制御装置。
【請求項３】
請求項１または請求項２に記載の輻輳制御装置において，
前記セッション確立要求規制判定手段は，
セッション確立要求が生起するたびに，新たに生起したセッション確立要求のアドレス情報と，前記セッション不完了情報蓄積手段に蓄積されているアドレス情報とを予め決められた方法で比較し，
前記セッション確立要求規制手段は，
新たに生起したセッションと同一アドレス情報が前記セッション不完了情報蓄積手段に蓄積されている場合には，予め決められた方法で該セッション確立要求を拒否し，
前記セッション確立要求規制判定手段は，新たに生起したセッション確立要求のアドレス情報と前記セッション不完了情報蓄積手段に蓄積されているアドレス情報との予め決められた比較方法として，
着ＩＰ端末アドレスと，前記セッション不完了情報蓄積手段に蓄積されている着アドレスとを比較する方法，
または，新たに生起したセッション確立要求の発ＩＰ端末アドレスと着ＩＰ端末アドレスとの対と，前記セッション不完了情報蓄積手段に蓄積されている発着アドレスの対とを比較する方法，
または，新たに生起したセッション確立要求の発ＩＰ端末アドレスと，前記セッション不完了情報蓄積手段に蓄積されている発アドレスとを比較する方法，
または，着ＩＰ端末アドレスと，前記セッション不完了情報蓄積手段に蓄積されている着アドレスごとのセッション確立不完了数のうち，最大値から小さい方に向かってＮ番目（Ｎは予め定められたパラメータ値）までに対応する着アドレスとを比較する方法，
または，発ＩＰ端末アドレスと着ＩＰ端末アドレスとの対と，前記セッション不完了情報蓄積手段に蓄積されている発着アドレスの対ごとのセッション確立不完了数のうち，最大値から小さい方に向かってＮ番目（Ｎは予め定められたパラメータ値）までに対応する発着アドレスの対とを比較する方法，
または，発ＩＰ端末アドレスと，前記セッション不完了情報蓄積手段に蓄積されている発アドレスごとのセッション確立不完了数のうち，最大値から小さい方に向かってＮ番目（Ｎは予め定められたパラメータ値）までに対応する発アドレスとを比較する方法を用い，
前記セッション確立要求規制手段は，セッション確立要求を拒否する予め決められた方法として，少なくとも，
該セッション確立要求を無条件で拒否する方法，
または，前記セッション不完了情報蓄積手段に蓄積されているセッション確立不完了数に依存した予め定められた確率で拒否する方法，
または，前記セッション不完了情報蓄積手段に蓄積されているセッション確立不完了数が予め決められた値より大きいかどうかを判断し大きい場合に拒否する方法，
または，セッション確立要求数およびセッション確立不完了数を用いて，セッション確立不完了数とセッション確立要求数との比率を計算し，この比率が予め決められた値より大きい場合に拒否する方法を用いる
ことを特徴とする輻輳制御装置。
【請求項４】
請求項１または請求項２に記載の輻輳制御装置において，
前記セッション不完了情報蓄積手段に蓄積されている情報の一部の複製を蓄積するセッション不完了情報部分複製蓄積手段を備え，
前記セッション確立要求規制判定手段は，新たに生起したセッション確立要求が規制対象かどうかを判定する際に，前記セッション不完了情報部分複製蓄積手段を参照する
ことを特徴とする輻輳制御装置。
【請求項５】
請求項４に記載の輻輳制御装置において，
前記セッション不完了情報部分複製蓄積手段に蓄積される情報は，少なくとも，
前記セッション不完了情報蓄積手段に蓄積されている，着アドレス，もしくは，発着アドレスの対，もしくは，発アドレスのうち，アドレスもしくはアドレスの対が前記セッション不完了情報蓄積手段に蓄積された時刻について，現在から過去にさかのぼって時刻の新しい順番にアドレスもしくはアドレスの対を並べたとき，１番目のアドレスもしくはアドレスの対からＫ番目（Ｋは予め定められたパラメータ値）までのアドレスもしくはアドレスの対，または，アドレスもしくはアドレスの対の数がＫ以下であればすべてのアドレスもしくはアドレスの対の情報，
あるいは，前記セッション不完了情報蓄積手段に蓄積されている，着アドレス，もしくは，発着アドレスの対，もしくは，発アドレスごとのセッション確立不完了数のうち，最大値から小さい方に向かってＬ番目（Ｌは予め定められたパラメータ値）までに対応する，着アドレス，もしくは，発着アドレスの対，もしくは，発アドレスの情報である
ことを特徴とする輻輳制御装置。
【請求項６】
請求項４または請求項５に記載の輻輳制御装置において，
前記セッション確立要求規制判定手段は，
セッション確立要求が生起するたびに，新たに生起したセッション確立要求のアドレス情報と前記セッション不完了情報部分複製蓄積手段に蓄積されているアドレス情報とを予め決められた方法で比較し，
前記セッション確立要求規制手段は，
新たに生起したセッションと同一アドレス情報がすでに蓄積されている場合には，予め決められた方法で該セッション確立要求を拒否し，
前記セッション確立要求規制手段は，新たに生起したセッション確立要求のアドレス情報と前記セッション不完了情報部分複製蓄積手段に蓄積されているアドレス情報との予め決められた比較方法として，少なくとも，
新たに生起したセッション確立要求の着ＩＰ端末アドレスと，前記セッション不完了情報部分複製蓄積手段に蓄積されている着アドレスとを比較する方法，
または，新たに生起したセッション確立要求の着ＩＰ端末アドレスと発ＩＰ端末アドレスとの対と，前記セッション不完了情報部分複製蓄積手段に蓄積されている発着アドレスの対とを比較する方法，
または，新たに生起したセッション確立要求の発ＩＰ端末アドレスと，前記セッション不完了情報部分複製蓄積手段に蓄積されている発アドレスとを比較する方法を用い，
前記セッション確立要求規制手段は，前記セッション確立要求を拒否する予め決められた方法として，少なくとも，
該セッション確立要求を無条件で拒否する方法，
または，該セッション確立要求を予め決められた確率でもって拒否する方法を用いる
ことを特徴とする輻輳制御装置。
【請求項７】
セッション設定の呼処理を実行するセッション設定処理装置とＩＰ端末とが接続されたＩＰネットワークの輻輳を制御する輻輳制御方法であって，
セッション確立に失敗したセッション確立要求に関する情報を蓄積するセッション不完了情報蓄積ステップと，
前記セッション不完了情報蓄積ステップにより蓄積した情報を用いて，新たに生起したセッション確立要求が規制対象かどうかを判定するセッション確立要求規制判定ステップと，
新たに生起したセッション確立要求を前記判定の結果により規制するセッション確立要求規制ステップと，
前記セッション不完了情報蓄積ステップにより蓄積した情報を所定のタイミングで消去するセッション不完了情報消去ステップとを有する
ことを特徴とする輻輳制御方法。
【請求項８】
請求項７に記載の輻輳制御方法において，
前記セッション不完了情報蓄積ステップでは，セッション確立に失敗したセッション確立要求に関する情報として，少なくとも，
セッション確立要求の着ＩＰ端末アドレス，このアドレスヘのセッション確立要求数，このアドレスへのセッション確立不完了数の３項目を含む情報，
または，発ＩＰ端末アドレスと着ＩＰ端末アドレスとの対，このアドレスの対に関するセッション確立要求数，このアドレスの対に関するセッション確立不完了数の３項目を含む情報，
または，セッション確立要求の発ＩＰ端末アドレス，このアドレスからのセッション確立要求数，このアドレスからのセッション確立不完了数の３項目を含む情報を蓄積する
ことを特徴とする輻輳制御方法。
【請求項９】
請求項７または請求項８に記載の輻輳制御方法において，
前記セッション確立要求規制判定ステップでは，
セッション確立要求が生起するたびに，新たに生起したセッション確立要求のアドレス情報と，前記セッション不完了情報蓄積ステップにより蓄積されたアドレス情報とを予め決められた方法で比較し，
前記セッション確立要求規制ステップでは，
新たに生起したセッションと同一アドレス情報が前記セッション不完了情報蓄積ステップにより蓄積された場合には，予め決められた方法で該セッション確立要求を拒否し，
前記セッション確立要求規制判定ステップは，新たに生起したセッション確立要求のアドレス情報と前記セッション不完了情報蓄積ステップにより蓄積されたアドレス情報との予め決められた比較方法として，
着ＩＰ端末アドレスと，前記セッション不完了情報蓄積ステップにより蓄積された着アドレスとを比較する方法，
または，新たに生起したセッション確立要求の発ＩＰ端末アドレスと着ＩＰ端末アドレスとの対と，前記セッション不完了情報蓄積ステップにより蓄積された発着アドレスの対とを比較する方法，
または，新たに生起したセッション確立要求の発ＩＰ端末アドレスと，前記セッション不完了情報蓄積ステップにより蓄積された発アドレスとを比較する方法，
または，着ＩＰ端末アドレスと，前記セッション不完了情報蓄積ステップにより蓄積された着アドレスごとのセッション確立不完了数のうち，最大値から小さい方に向かってＮ番目（Ｎは予め定められたパラメータ値）までに対応する着アドレスとを比較する方法，
または，発ＩＰ端末アドレスと着ＩＰ端末アドレスとの対と，前記セッション不完了情報蓄積ステップにより蓄積された発着アドレスの対ごとのセッション確立不完了数のうち，最大値から小さい方に向かってＮ番目（Ｎは予め定められたパラメータ値）までに対応する発着アドレスの対とを比較する方法，
または，発ＩＰ端末アドレスと，前記セッション不完了情報蓄積ステップにより蓄積された発アドレスごとのセッション確立不完了数のうち，最大値から小さい方に向かってＮ番目（Ｎは予め定められたパラメータ値）までに対応する発アドレスとを比較する方法を用い，
前記セッション確立要求規制ステップは，セッション確立要求を拒否する予め決められた方法として，少なくとも，
該セッション確立要求を無条件で拒否する方法，
または，前記セッション不完了情報蓄積ステップにより蓄積されたセッション確立不完了数に依存した予め定められた確率で拒否する方法，
または，前記セッション不完了情報蓄積ステップにより蓄積されたセッション確立不完了数が予め決められた値より大きいかどうかを判断し大きい場合に拒否する方法，
または，セッション確立要求数およびセッション確立不完了数を用いて，セッション確立不完了数とセッション確立要求数との比率を計算し，この比率が予め決められた値より大きい場合に拒否する方法を用いる
ことを特徴とする輻輳制御方法。
【請求項１０】
請求項７または請求項８に記載の輻輳制御方法において，
前記セッション不完了情報蓄積ステップにより蓄積された情報の一部の複製を蓄積するセッション不完了情報部分複製蓄積ステップを有し，
前記セッション確立要求規制判定ステップでは，新たに生起したセッション確立要求が規制対象かどうかを判定する際に，前記セッション不完了情報部分複製蓄積ステップで蓄積した情報を参照する
ことを特徴とする輻輳制御方法。
【請求項１１】
請求項１０に記載の輻輳制御方法において，
前記セッション不完了情報部分複製蓄積ステップにより蓄積される情報は，少なくとも，
前記セッション不完了情報蓄積ステップにより蓄積された，着アドレス，もしくは，発着アドレスの対，もしくは，発アドレスのうち，アドレスもしくはアドレスの対が前記セッション不完了情報蓄積ステップにより蓄積された時刻について，現在から過去にさかのぼって時刻の新しい順番にアドレスもしくはアドレスの対を並べたとき，１番目のアドレスもしくはアドレスの対からＫ番目（Ｋは予め定められたパラメータ値）までのアドレスもしくはアドレスの対，または，アドレスもしくはアドレスの対の数がＫ以下であればすべてのアドレスもしくはアドレスの対の情報，
あるいは，前記セッション不完了情報蓄積ステップにより蓄積された，着アドレス，もしくは，発着アドレスの対，もしくは，発アドレスごとのセッション確立不完了数のうち，最大値から小さい方に向かってＬ番目（Ｌは予め定められたパラメータ値）までに対応する，着アドレス，もしくは，発着アドレスの対，もしくは，発アドレスの情報である
ことを特徴とする輻輳制御方法。
【請求項１２】
請求項１０または請求項１１に記載の輻輳制御方法において，
前記セッション確立要求規制判定ステップでは，
セッション確立要求が生起するたびに，新たに生起したセッション確立要求のアドレス情報と前記セッション不完了情報部分複製蓄積ステップにより蓄積されたアドレス情報とを予め決められた方法で比較し，
前記セッション確立要求規制ステップでは，
新たに生起したセッションと同一アドレス情報がすでに蓄積されている場合には，予め決められた方法で該セッション確立要求を拒否し，
前記セッション確立要求規制ステップは，新たに生起したセッション確立要求のアドレス情報と前記セッション不完了情報部分複製蓄積ステップにより蓄積されたアドレス情報との予め決められた比較方法として，少なくとも，
新たに生起したセッション確立要求の着ＩＰ端末アドレスと，前記セッション不完了情報部分複製蓄積ステップにより蓄積された着アドレスとを比較する方法，
または，新たに生起したセッション確立要求の着ＩＰ端末アドレスと発ＩＰ端末アドレスとの対と，前記セッション不完了情報部分複製蓄積ステップにより蓄積された発着アドレスの対とを比較する方法，
または，新たに生起したセッション確立要求の発ＩＰ端末アドレスと，前記セッション不完了情報部分複製蓄積ステップにより蓄積された発アドレスとを比較する方法を用い，
前記セッション確立要求規制ステップは，前記セッション確立要求を拒否する予め決められた方法として，少なくとも，
該セッション確立要求を無条件で拒否する方法，
または，該セッション確立要求を予め決められた確率でもって拒否する方法を用いる
ことを特徴とする輻輳制御方法。
【請求項１３】
請求項７から請求項１２までのいずれか１項に記載の輻輳制御方法をコンピュータに実行させるための輻輳制御プログラム。
【請求項１４】
請求項７から請求項１２までのいずれか１項に記載の輻輳制御方法をコンピュータに実行させるための輻輳制御プログラムを記録したコンピュータ読み取り可能な記録媒体。
【発明の詳細な説明】
【技術分野】
【０００１】
この発明は，ＩＰネットワークの輻輳を制御する輻輳制御装置，輻輳制御方法，輻輳制御プログラムおよびそのプログラムを記録したコンピュータ読み取り可能な記録媒体に関するものである。
【背景技術】
【０００２】
電話サービスを提供する電話ネットワークでは，台風，地震等の自然災害により全国から被災地向けの通話の量が平常時の数十倍，数百倍に達する集中過負荷の状態が生じる場合がある。被災地向けへの集中過負荷が生じたときには，集中過負荷に対して適切な制御を行わないと，被災地向けの通話のみならず，被災地向け以外への通話もつながりにくい，あるいは，全くつながらないというネットワークの輻輳が生じる。
【０００３】
このため，輻輳が生じた場合に，通話が集中する地域向けの通話の接続要求の処理の数をある定められた値以下に規制して，すなわち，接続処理をしても最終的にはつながらない可能性の高い被災地向けの通話要求を，ネットワークの入り口，具体的には加入者線交換機等においてある一定値以下に抑えて，ネットワークが提供できる最大限の通話の完了呼数を，輻輳が生じた場合にも確保する輻輳制御が考案され，実用に供されている（例えば，非特許文献１，非特許文献２参照）。
【非特許文献１】榊原，堤：“電話網におけるトラヒック制御について”，電子通信学会誌，Vol.62,No.12,pp.1385-1392,1979
【非特許文献２】徳永，川野：“呼数密度制御に基づくトラヒックふくそう制御”，電子通信学会論文誌B,Vol.J71-B,No.3,pp.322-329,1988
【発明の開示】
【発明が解決しようとする課題】
【０００４】
集中過負荷となっている地域向けの通話接続要求を規制するには，ネットワーク内の交換機で通話接続要求の処理を行う際に被災地向けの通話かどうかを判別する必要があるが，いわゆる０ＡＢ〜Ｊ番号体系を使用する加入電話サービスでは，電話番号により被災地向けの通話接続要求がどうかを判別できた。
【０００５】
一方，例えば，ＩＰ電話を提供するネットワークでは，０ＡＢ〜Ｊ番号体系のほかにＩＰ電話専用の０５０番号体系も用いられることとなっている。０５０番号体系では，電話番号と物理的な地域の対応，例えば，通話の相手のＩＰ電話クライアント端末がどの地域に存在するかを電話番号により知ることはできない。
【０００６】
このため，ＩＰ電話のネットワークにおいて地域的な集中過負荷が生じた場合に，どの地域が集中過負荷地域であるかを判別すること，さらに，集中過負荷地域への通話接続要求を規制することが，通話接続相手のＩＰ電話専用の番号の情報のみで行うことが難しかった。
【０００７】
本発明は，かかる事情に鑑みてなされたものであり，ＩＰネットワークにおいて，特定の地域あるいは特定のアドレスに集中的にセッション確立要求が発生することによって生じる輻輳を抑えるための輻輳制御装置および輻輳制御方法を提供することを目的とする。
【課題を解決するための手段】
【０００８】
上記目的を達成するため，本発明は，ＩＰ電話を提供するネットワークにおいて，セッションを確立する時に発着アドレスを輻輳制御装置に通知し，蓄積されたセッション確立に失敗したセッション確立要求に関する蓄積情報であるセッション確立不完了情報に同じアドレスがあるかを調べる。存在する場合，セッション確立要求数を＋１し，セッション確立不完了数の最大値から減少方向にＮ番目までの値に対応する発着アドレスを調べる。セッション確立不完了情報に同じアドレスがなければ，セッション確立要求の処理を継続する。また，あった場合でも，例えば「セッション確立不完了数／確立要求数」を計算し，この値が予め決めておいた値より大きくなければ，セッション確立要求の処理を継続し，大きければセッション確立を拒否する。
【０００９】
すなわち，本発明は，ＩＰネットワークに収容されている発ＩＰ端末と着ＩＰ端末間のセッションの確立，切断等のセッション設定の呼処理を実行するセッション設定処理装置，ＩＰネットワークの輻輳を制御する輻輳制御装置，ＩＰ端末のＩＰネットワーク上の現在のアドレスを蓄積するロケーションサーバからなるＩＰネットワークの輻輳制御装置において，セッション確立に失敗したセッション確立要求に関する情報を蓄積するセッション不完了情報蓄積手段と，新たに生起したセッション確立要求が規制対象かどうかを判定するセッション確立要求規制判定手段と，新たに生起したセッション確立要求を規制するセッション確立要求規制手段と，セッション不完了情報蓄積手段に蓄積された情報を消去するセッション不完了情報消去手段とを備えたことを主要な特徴とする。
【発明の効果】
【００１０】
本発明により，ＩＰネットワーク上の各種サービスにおいて，特定アドレスあるいは特定地域への集中過負荷が生じても，セッション確立の不完了が生じたアドレス，あるいはアドレスとこのアドレスに対応するセッション確立要求数およびセッション確立不完了数を記録し，この情報を利用することにより間接的に集中過負荷アドレスあるいは集中過負荷地域を推定し，さらに，再発信の多いあるいは不完了率の高いアドレスに対するセッション確立要求を規制することにより，該アドレスあるいは該地域の輻輳の発生を回避することができる。
【発明を実施するための最良の形態】
【００１１】
以下，ＩＰ電話をサービスするＩＰ電話ネットワークを例に，本発明の実施形態を説明する。
【００１２】
〔第１の実施形態〕
図１は，本発明の実施形態１におけるシステムの構成例を示す図である。図１において，１０１はＩＰ電話ネットワーク，１０２は発ＩＰ電話端末，１０３は着ＩＰ電話端末，１０４−１〜１０４−Ｎはセッション設定の呼制御を実行するセッション設定処理装置，１０５は各ＩＰ電話端末のＩＰ電話ネットワーク１０１上の現在のアドレスを蓄積するロケーションサーバ，１０６−１〜１０６−Ｎはセッション設定処理装置１０４−１〜１０４−Ｎに外付けされた輻輳制御装置である。
【００１３】
図２は，本発明の第１の実施形態における輻輳制御装置の構成を示す図である。ここでは，輻輳制御装置１０６−１の構成を例に採って説明する。なお，図１の他の輻輳制御装置も，輻輳制御装置１０６−１と同様の構成を採るものとする。
【００１４】
輻輳制御装置１０６−１は，セッション不完了情報を蓄積するセッション不完了情報蓄積手段２０１，新たに生起したセッション確立要求が規制対象かどうかを判定するセッション確立要求規制判定手段２０２，新たに生起したセッション確立要求を規制するセッション確立要求規制手段２０３，セッション不完了情報蓄積手段２０１に蓄積された情報を，例えば数分から数十分といった所定の時間間隔で消去するセッション不完了情報消去手段２０４から構成される。
【００１５】
発ＩＰ電話端末１０２は，セッション設定処理装置１０４−１〜１０４−Ｎにより，着ＩＰ電話端末１０３とのセッションが確立される。セッションが確立されたら発ＩＰ電話端末１０２と着ＩＰ電話端末１０３間の通話が可能となる。
【００１６】
図３および図４は，本発明の第１の実施形態に関するフローチャートである。セッション確立要求が発生する（ステップＳ１）と，セッション確立要求規制判定手段２０２は，セッション不完了情報蓄積手段２０１に該セッション確立要求の発ＩＰ電話端末アドレスと着ＩＰ電話端末アドレスの対が蓄積されているかどうかを調べる（ステップＳ２）。
【００１７】
蓄積されていなければ，該セッション確立要求の処理の継続をセッション設定処理装置１０４−１に通知し（ステップＳ３），ステップＳ８へ進む。蓄積されている場合には，セッション確立要求数カウンタの数値を１カウントアップする（ステップＳ４）。
【００１８】
セッション確立要求規制判定手段２０２は，発ＩＰ電話端末１０２と着ＩＰ電話端末１０３の対のセッション確立不完了数が，不完了数の上位Ｎ番目（Ｎは所定のパラメータ値）までに入っているかどうかを調べる（ステップＳ５）。不完了数の上位Ｎ番目までに入っていない場合には，該セッション確立要求の処理の継続をセッション設定処理装置１０４−１に通知し（ステップＳ３），ステップＳ８へ進む。
【００１９】
不完了数の上位Ｎ番目までに入っている場合には，さらに，セッション確立要求規制判定手段２０２は，「セッション確立不完了数／セッション確立要求数」を計算し，この値が予め与えられた閾値より大きいかどうかを判定する（ステップＳ６）。閾値より大きくない場合には，該セッション確立要求の処理の継続をセッション設定処理装置１０４−１に通知し（ステップＳ３），ステップＳ８へ進む。
【００２０】
ステップＳ８において，該セッション確立要求が正常に完了したか否かを確認する（ステップＳ８）。正常に完了した場合には接続となり（ステップＳ９），発ＩＰ電話端末１０２と着ＩＰ電話端末１０３間の通話が開始される。正常に完了しない場合には，ステップＳ１０へ進む。
【００２１】
上記ステップＳ６において，「セッション確立不完了数／セッション確立要求数」が所定の閾値より大きい場合には，セッション確立要求規制手段２０３は，セッション確立要求を拒否し，拒否することをセッション設定処理装置１０４−１に通知する（ステップＳ７）。
【００２２】
セッション確立要求の不完了が発生（ステップＳ１０）したら，図４のステップＳ１１において，セッション確立要求規制手段２０３は，不完了となったセッション確立要求の発ＩＰ電話端末１０２のアドレスと着ＩＰ電話端末１０３のアドレスの対がセッション不完了情報蓄積手段２０１に蓄積されているかどうかを調ベる（ステップＳ１１）。
【００２３】
蓄積されている場合には，不完了数カウンタを１カウントアップする（ステップＳ１２）。蓄積されていなければ，発ＩＰ電話端末アドレスと着ＩＰ電話端末アドレスの対を蓄積し，このアドレス対に対応するセッション確立要求数およびセッション確立不完了数を計数するカウンタを設けて，それぞれ１と設定する（ステップＳ１３）。
【００２４】
セッション不完了情報消去手段２０４は，蓄積しているアドレス対および対応するセッション確立要求数カウンタ，セッション確立不完了数カウンタを消去するタイミングかどうかを調べる（ステップＳ１４）。前回消去したときから予め定められた時間が経過し，消去するタイミングであれば，蓄積されているアドレス対とカウンタをすべて消去し（ステップＳ１５），ステップＳ１へ戻る。
【００２５】
上記第１の実施形態において，セッション不完了情報蓄積手段２０１に蓄積される情報として，発ＩＰ電話端末１０２のアドレスと着ＩＰ電話端末１０３のアドレスの対ごとの，セッション確立要求数，セッション確立不完了数としているが，セッション確立要求の着ＩＰ電話端末アドレス，このアドレスへのセッション確立要求数，このアドレスへのセッション確立不完了数でもよいし，あるいは，セッション確立要求の発ＩＰ電話端末アドレス，このアドレスからのセッション確立要求数，このアドレスからのセッション確立不完了数でもよい。
【００２６】
また，上記第１の実施形態において，セッション確立要求規制手段２０３は，図３のステップＳ６において，「セッション確立不完了数／セッション確立要求数」の計算をしないで，無条件でセッション確立要求を拒否してもよいし，セッション確立不完了数に依存した確率でもってセッション確立要求を拒否してもよいし，セッション確立不完了数を与えられた値と比較し，大きい場合にセッション確立要求を拒否するようにしてもよい。
【００２７】
また，上記第１の実施形態では，輻輳制御装置１０６−１〜１０６−Ｎがセッション設定処理装置１０４−１〜１０４−Ｎに外付けされた例を示したが，輻輳制御装置１０６−１〜１０６−Ｎの機能をセッション設定処理装置１０４−１〜１０４−Ｎに内蔵するようにしてもよい。
【００２８】
〔第２の実施形態〕
次に本発明の第２の実施形態について説明する。第２の実施形態では，輻輳制御装置において，セッション確立要求を規制する際の判定処理を高速化するために，セッション不完了情報蓄積手段に蓄積されている情報の一部を複製して蓄積するセッション不完了情報部分複製蓄積手段を用いる。
【００２９】
図５は，本発明の第２の実施形態におけるシステムの構成例を示す図である。図５において，ＩＰネットワーク１０１，発ＩＰ電話端末１０２，着ＩＰ電話端末１０３，ロケーションサーバ１０５は，図１に示す本発明の第１の実施形態と同様である。
【００３０】
４０１−１〜４０１−Ｎはセッション設定の呼処理を実行するセッション設定処理装置，４０２−１〜４０２−Ｎはセッション設定処理装置４０１−１〜４０１−Ｎに外付けされた輻輳制御装置である。
【００３１】
図６は，本発明の第２の実施形態における輻輳制御装置の構成を示す図である。ここでは，輻輳制御装置４０２−１の構成を例に採って説明する。なお，図５の他の輻輳制御装置も，輻輳制御装置４０２−１と同様の構成を採るものとする。
【００３２】
輻輳制御装置４０２−１は，セッション不完了情報を蓄積するセッション不完了情報蓄積手段２０１，新たに生起したセッション確立要求が規制対象かどうかを判定するセッション確立要求規制判定手段２０２，新たに生起したセッション確立要求を規制するセッション確立要求規制手段２０３，セッション不完了情報蓄積手段２０１に蓄積されている情報の一部の複製を蓄積するセッション不完了情報部分複製蓄積手段２０５，セッション不完了情報蓄積手段２０１に蓄積された情報を，所定の時間ごとに定期的に消去するセッション不完了情報消去手段２０４から構成される。
【００３３】
発ＩＰ電話端末１０２は，セッション設定処理装置４０１−１〜４０１−Ｎにより，着ＩＰ電話端末１０３とのセッションが確立される。セッションが確立されたら，発ＩＰ電話端末１０２と着ＩＰ電話端末１０３間の通話が可能となる。
【００３４】
図７および図８は，本発明の第２の実施形態に関するフローチャートである。セッション確立要求が発生する（ステップＳ２１）と，セッション確立要求規制判定手段２０２は，該セッション確立要求の発ＩＰ電話端末アドレスと着ＩＰ電話端末アドレスの対がセッション不完了情報部分複製蓄積手段２０５に蓄積されているかどうかを調べる（ステップＳ２２）。
【００３５】
蓄積されていれば，セッション不完了情報蓄積手段２０１に蓄積されている，該セッション確立要求の発ＩＰ電話端末アドレスと着ＩＰ電話端末アドレスの対のセッション確立要求数カウンタおよびセッション確立不完了数カウンタをそれぞれ１カウントアップする（ステップＳ２３）。さらに，セッション確立要求規制手段２０３は，セッション確立要求の拒否をセッション設定処理装置４０１−１に通知する（ステップＳ２４）。その後，図８のステップＳ３４へ進む。
【００３６】
蓄積されていなければ，セッション不完了情報蓄積手段２０１に，該セッション確立要求の発ＩＰ電話端末アドレスと着ＩＰ電話端末アドレスの対が蓄積されているかどうかを調べる（ステップＳ２５）。該セッション確立要求の発ＩＰ電話端末アドレスと着ＩＰ電話端末アドレスの対が蓄積されていない場合には，ステップＳ２７へ進み，蓄積されていれば，セッション確立要求数カウンタの数値を１カウントアップする（ステップＳ２６）。その後，ステップＳ２７では，該セッション確立要求の処理の継続をセッション設定処理装置４０１−１に通知する（ステップＳ２７）。
【００３７】
次に，該セッション確立要求が正常に終了したかどうかを確認する（ステップＳ２８）。正常に終了した場合には接続となり（ステップＳ２９），発ＩＰ電話端末１０２と着ＩＰ電話端末１０３間の通話が開始される。正常に終了しなかった場合には，セッション確立要求の不完了が発生する（ステップＳ３０）。
【００３８】
セッション確立要求の不完了が発生すると，セッション確立要求規制手段２０３は，セッション不完了情報蓄積手段２０１に該セッション確立要求の発ＩＰ電話端末アドレスと着ＩＰ電話端末アドレスの対が蓄積されているかどうかを調べる（ステップＳ３１）。
【００３９】
蓄積されていない場合には，該セッション確立要求の発ＩＰ電話端末アドレスと着ＩＰ電話端末のアドレスの対を蓄積し，併せてこの対に対する，セッション確立要求数カウンタおよびセッション確立不完了数を表すカウンタを設けてそれぞれ１とする（ステップＳ３２）。蓄積されていれば，該発ＩＰ電話端末アドレスと該着ＩＰ電話端末アドレスの対に対応するセッション確立不完了数カウンタを１だけカウントアップする（ステップＳ３３）。
【００４０】
図８のステップＳ３４において，セッション不完了情報蓄積手段２０１は，セッション不完了情報部分複製蓄積手段２０５の内容の更新のタイミングかどうかを判断し（ステップＳ３４），更新のタイミングの場合には，セッション不完了情報蓄積手段２０１に蓄積されている発ＩＰ電話端末１０２のアドレスと着ＩＰ電話端末１０３のアドレスの対のうち，セッション確立不完了数の値の最上位からＮ番目（Ｎはパラメータ）までの値に対応する発ＩＰ電話端末１０２のアドレスと着ＩＰ電話端末１０３のアドレスの対を選択し，セッション不完了情報部分複製蓄積手段２０５の内容をすべて消去した後に，これらのアドレスの対をセッション不完了情報部分複製蓄積手段２０５に蓄積する（ステップＳ３５）。
【００４１】
セッション不完了情報消去手段２０４は，セッション不完了情報蓄積手段２０１に蓄積している情報を消去するタイミングかどうかを調ベ（ステップＳ３６），消去するタイミングの場合には，セッション不完了情報蓄積手段２０１に格納されている情報をすべて消去する（ステップＳ３７）。
【００４２】
上記第２の実施形態において，セッション不完了情報蓄積手段２０１に蓄積される情報として，発ＩＰ電話端末１０２のアドレスと着ＩＰ電話端末１０３のアドレスの対ごとの，セッション確立要求数，セッション確立不完了数としているが，セッション確立要求の着ＩＰ電話端末アドレス，このアドレスへのセッション確立要求数，このアドレスへのセッション確立不完了数でもよいし，あるいは，セッション確立要求の発ＩＰ電話端末アドレス，このアドレスからのセッション確立要求数，このアドレスからのセッション確立不完了数でもよい。
【００４３】
上記第２の実施形態において，セッション不完了情報蓄積手段２０１に蓄積されている発ＩＰ電話端末１０２のアドレスと着ＩＰ電話端末１０３のアドレスの対のうち，不完了数の最上位からＮ番目までに対応するアドレス対をセッション不完了情報部分複製蓄積手段２０５に蓄積したが，アドレス対に対応するセッション確立要求数の値およびセッション確立不完了数の値を用いて「セッション確立不完了数／セッション確立要求数」を計算し，これらの値の最上位からＮ番目（Ｎはパラメータ）までの値に対応する発ＩＰ電話端末１０２のアドレスと着ＩＰ電話端末１０３のアドレスの対を選択し，これらのアドレスの対をセッション不完了情報部分複製蓄積手段２０５に蓄積してもよいし，あるいは，アドレス対がセッション不完了情報蓄積手段２０１に蓄積された時刻について，最も新しい時刻から過去にさかのぼってＫ番目（Ｋは所定のパラメータ値）までの時刻に対応する発ＩＰ電話端末１０２のアドレスと着ＩＰ電話端末１０３のアドレスの対を選択し，これらのアドレス対をセッション不完了情報部分複製蓄積手段２０５に蓄積してもよい。
【００４４】
また，上記第２の実施形態において，図７のステップＳ２４で，セッション不完了情報部分複製蓄積手段２０５に蓄積されているアドレス対について，該アドレス対に対するセッション確立要求を無条件で拒否したが，該セッション確立要求をあらかじめ決められた確率でもって拒否する方法も可能である。
【００４５】
また，上記第２の実施形態では，輻輳制御装置４０２−１〜４０２−Ｎがセッション設定処理装置４０２−１〜４０２−Ｎに外付けされた例を示したが，輻輳制御装置４０２−１〜４０２−Ｎの機能をセッション設定処理装置４０２−１〜４０２−Ｎに内蔵するようにしてもよい。
【００４６】
以上説明した第１および第２の実施形態における輻輳制御装置が行う処理は，コンピュータとソフトウェアプログラムとによって実現することができ，そのプログラムをコンピュータ読み取り可能な記録媒体に記録して提供することも，ネットワークを通して提供することも可能である。
【図面の簡単な説明】
【００４７】
【図１】本発明の実施形態１におけるシステムの構成例を示す図である。
【図２】輻輳制御装置の構成を示す図である。
【図３】本発明の第１の実施形態に関するフローチャートである。
【図４】本発明の第１の実施形態に関するフローチャートである。
【図５】本発明の第２の実施形態におけるシステムの構成例を示す図である。
【図６】輻輳制御装置の構成を示す図である。
【図７】本発明の第２の実施形態に関するフローチャートである。
【図８】本発明の第２の実施形態に関するフローチャートである。
【符号の説明】
【００４８】
１０１  ＩＰ電話ネットワーク
１０２  発ＩＰ電話端末
１０３  着ＩＰ電話端末
１０４−１〜１０４−Ｎ，４０１−１〜４０１−Ｎ  セッション設定処理装置
１０５  ロケーションサーバ
１０６−１〜１０６−Ｎ，４０２−１〜４０２−Ｎ  輻輳制御装置
２０１  セッション不完了情報蓄積手段
２０２  セッション確立要求規制判定手段
２０３  セッション確立要求規制手段
２０４  セッション不完了情報消去手段
２０５  セッション不完了情報部分複製蓄積手段
【図１】
2005204100.tif 000003
【図２】
2005204100.tif 000004
【図３】
2005204100.tif 000005
【図４】
2005204100.tif 000006
【図５】
2005204100.tif 000007
【図６】
2005204100.tif 000008
【図７】
2005204100.tif 000009
【図８】
2005204100.tif 000010